(57)【要約】【課題】操作性が良くコンパクトに収納できる雪面用テントアンカーを得る。【解決手段】一端を先にして雪面に突き刺す本体フレーム１２を備え、この本体フレーム１２の他端には、長手方向に沿う断面から見たときにＬ字状になるように、本体フレーム１２とほぼ直交する面を持つ踏み板１４が設けられる。本体フレーム１２のほぼ中央にはワイヤロープ２０の一端が固定されている。本体フレーム１２をその一端を先にして雪面に向け、踏み板１４を踏みつけるようにして、本体フレーム１２を雪面に突き刺す。そして、ワイヤロープ２０を本体フレーム１２の中央から本体フレーム１２の面にほぼ垂直な方向に向けて引き出し、テントの一部に固定する。【選択図】図１
0003154250.tif 000002
【実用新案登録請求の範囲】
【請求項１】
一端を先にして雪面に突き刺す本体フレーム１２を備え、この本体フレーム１２の他端には、長手方向に沿う断面から見たときにＬ字状になるように、本体フレーム１２とほぼ直交する面を持つ踏み板１４が設けられ、本体フレーム１２のほぼ中央にはワイヤロープ２０の一端が固定されていることを特徴とする雪面用テントアンカー。
【請求項２】
請求項１に記載の雪面用テントアンカーにおいて、
複数のテントアンカー１０を重ね合わせたときに、結束部材を貫通させるための連結孔１８を本体フレーム１２に設けたことを特徴とする雪面用テントアンカー。
【請求項３】
請求項１または２に記載の雪面用テントアンカーにおいて、
本体フレーム１２の側縁に、長手方向に交叉する断面から見たときにＬ字状になるように、側板１６を設けたことを特徴とする雪面用テントアンカー。
【請求項４】
請求項１乃至３のいずれかに記載の雪面用テントアンカーにおいて、
踏み板１４と側板１６を本体フレーム１２の縁を折り曲げるようにして成型したことを特徴とする雪面用テントアンカー。
【請求項５】
請求項１乃至４のいずれかに記載の雪面用テントアンカーにおいて、
踏み板１４のほぼ中央に、ワイヤロープ２０を本体フレーム１２の面に沿わせて本体フレーム１２の長手方向に平行な方向に引き出す切り欠き２２を備えたことを特徴とする雪面用テントアンカー。
【請求項６】
請求項１乃至５のいずれかに記載の雪面用テントアンカーにおいて、
前記踏み板の一端は、長手方向に垂直な方向に切り落とされていることを特徴とする雪面用テントアンカー。
【請求項７】
請求項１乃至６のいずれかに記載の雪面用テントアンカーにおいて、
前記本体フレーム１２には、複数の連結孔１８が設けられていることを特徴とする雪面用テントアンカー。
【請求項８】
請求項１乃至７のいずれかに記載の雪面用テントアンカーにおいて、
踏み板１４の両短縁に、それぞれ切り欠き２２が設けられていることを特徴とする雪面用テントアンカー。
【考案の詳細な説明】
【技術分野】
【０００１】
本考案は、雪上で設営するテントを雪面に固定するための雪面用テントアンカーに関する。
【背景技術】
【０００２】
テントの設営には、テントを地面にロープで固定するペグと呼ばれるアンカーが用いられる。このテントアンカーには、釘状のもののほか、軟弱地盤に対応するための板状のものも紹介されている（特許文献１参照）
【先行技術文献】
【特許文献】
【０００３】
【特許文献１】特開２００８−６３８５７号
【考案の概要】
【考案が解決しようとする課題】
【０００４】
既知の従来の技術には、次のような解決すべき課題があった。
雪山では、ロープを固定する場所はほとんど雪上である。雪の性質は様々で、締まった硬い雪や柔らかい雪がある、硬く氷結した場所もある。極寒の環境で適切な場所を選択して上手にアンカーを打ち込むのは容易でない。また、特許文献１に記載された軟弱地盤と同様に、アンカーを打ち込んでもそのままでは抜けやすい。しかし、雪の性質に応じた各種の形状のアンカーを用意するのでは装備が重くなる。また、できるだけコンパクトにパッキングができることが好ましい。上記の課題を解決するために、本考案は次のような雪面用テントアンカーを提供することを目的とする。
【課題を解決するための手段】
【０００５】
以下の構成はそれぞれ上記の課題を解決するための手段である。
〈構成１〉
一端を先にして雪面に突き刺す本体フレーム１２を備え、この本体フレーム１２の他端には、長手方向に沿う断面から見たときにＬ字状になるように、本体フレーム１２とほぼ直交する面を持つ踏み板１４が設けられ、本体フレーム１２のほぼ中央にはワイヤロープ２０の一端が固定されていることを特徴とする雪面用テントアンカー。
【０００６】
〈構成２〉
構成１に記載の雪面用テントアンカーにおいて、複数のテントアンカー１０を重ね合わせたときに、結束部材を貫通させるための連結孔１８を本体フレーム１２に設けたことを特徴とする雪面用テントアンカー。
【０００７】
〈構成３〉
構成１または２に記載の雪面用テントアンカーにおいて、本体フレーム１２の側縁に、長手方向に交叉する断面から見たときにＬ字状になるように、側板１６を設けたことを特徴とする雪面用テントアンカー。
【０００８】
〈構成４〉
構成１乃至３のいずれかに記載の雪面用テントアンカーにおいて、踏み板１４と側板１６を本体フレーム１２の縁を折り曲げるようにして成型したことを特徴とする雪面用テントアンカー。
【０００９】
〈構成５〉
構成１乃至４のいずれかに記載の雪面用テントアンカーにおいて、踏み板１４のほぼ中央に、ワイヤロープ２０を本体フレーム１２の面に沿わせて本体フレーム１２の長手方向に平行な方向に引き出す切り欠き２２を備えたことを特徴とする雪面用テントアンカー。
〈構成６〉
構成１乃至５のいずれかに記載の雪面用テントアンカーにおいて、前記踏み板の一端は、長手方向に垂直な方向に切り落とされていることを特徴とする雪面用テントアンカー。
〈構成７〉
構成１乃至６のいずれかに記載の雪面用テントアンカーにおいて、前記本体フレーム１２には、複数の連結孔１８が設けられていることを特徴とする雪面用テントアンカー。
〈構成８〉
構成１乃至７のいずれかに記載の雪面用テントアンカーにおいて、前記踏み板１４の中央もしくは両短縁に、切り欠き２２が設けられていることを特徴とする雪面用テントアンカー。 
【考案の効果】
【００１０】
〈構成１の効果〉
本体フレーム１２をその一端を先にして雪面に向け、踏み板１４を踏みつけるようにして、本体フレーム１２を雪面に突き刺すことができる。足で踏み込むことができるような硬さの雪面で非常に快適に作業ができる。ワイヤロープ２０を本体フレーム１２の面にほぼ垂直な方向に引き出すと、テントアンカー１０は抜けない。長手方向に沿う断面から見たときにＬ字になるように加工されているので、重ねて収納するときにかさばらない。
〈構成２の効果〉
複数のテントアンカー１０を重ね合わせたとき連結孔１８に結束部材を貫通させると、複数のテントアンカー１０を重ねて一体にして携帯できる。
〈構成３の効果〉
側板１６は本体フレーム１２の長手方向の剛性を高める。長手方向に見たときも長手方向に交叉する方向に見たときも、断面がＬ字状なので、複数枚を隙間無く積み重ねることができ、コンパクトに収納できる。
〈構成４の効果〉
踏み板１４と側板１６を本体フレーム１２の縁を折り曲げるようにして成型すると、テントアンカー１０の全体の機械的強度を十分に高めることができる。
〈構成５の効果〉
ワイヤロープ２０を本体フレーム１２の面に沿わせておくと、ワイヤロープ２０を引き出す方向がわかりやすい。
〈構成６の効果〉
踏み板の一端は、長手方向に垂直な方向に切り落とされているので、テントアンカー１０を雪面に垂直にぐらつかせずに差し込むことができる。
〈構成７の効果〉
多数の連結孔１８を設けて軽量化を図ることができる。
〈構成８の効果〉
ワイヤロープ２０を踏み板１４に設けた切り欠きから引き出すことにより，ワイヤロープ２０を本体フレーム１２の面にほぼ垂直な方向に向けて引き出しやすくする。
【図面の簡単な説明】
【００１１】
【図１】実施例１の説明図で、（ａ）は本考案の雪面用テントアンカーの斜視図、（ｂ）はテントの斜視図、（ｃ）は従来のアンカーの斜視図である。
【図２】本考案の雪面用テントアンカーの雪面への固定方法説明図である。
【図３】雪面用テントアンカーの踏み板の機能を示す説明図である。
【図４】雪面用テントアンカーの収納法を示す説明図である。
【図５】本考案の各種の変形実施例を示す斜視図である。
【図６】本考案のさらに別の変形実施例を示す斜視図である。
【考案を実施するための形態】
【００１２】
以下、本考案の実施の形態を実施例毎に詳細に説明する。
【実施例１】
【００１３】
図１は実施例１の説明図で、（ａ）は本考案の雪面用テントアンカー１０の斜視図、
（ｂ）はこれを使用するテントの斜視図、（ｃ）は従来のテントアンカーの斜視図である。
図の（ａ）に示すように、本考案の雪面用テントアンカー１０は、本体フレーム１２と、踏み板１４と、側板１６とを備えている。この例では、踏み板１４と側板１６を本体フレーム１２の縁を折り曲げるようにして成型している。この雪面用テントアンカー１０は、アルミニューム、鉄板、硬質プラスチック成型品等により製造することができる。また、ステンレスを使用して防食効果を高めたり、チタンを使用して軽量化することもできる。踏み板１４と側板１６を本体フレーム１２の縁を折り曲げるようにして成型すると、雪面用テントアンカー１０の全体の機械的強度を十分に高めることができる。
【００１４】
本体フレーム１２は、一端を先にして雪面に突き刺すためのものである。従って、この一端は尖っているとよいが、雪面では図のような丸みを帯びた形状で十分である。これにより、持ち運びの際の安全を確保できる。なお、雪面に真っ直ぐに先を突き立ててぐらつかないように、先端は図のように長手方向に垂直な方向に切り落とされ、平ノミのように加工されていたほうがよい。この本体フレーム１２の他端には、本体フレーム１２とほぼ直交する面を持つ踏み板１４が設けられている。即ち、本体フレーム１２の長手方向（矢印Ａの方向）に沿う断面から見たときに、本体フレーム１２と踏み板１４によって全体がＬ字状になるように構成されている。
【００１５】
本体フレーム１２の側面には側板１６を設けた。即ち、本体フレーム１２と側板１６によって、長手方向に交叉する断面（矢印Ｂ方向の面で切断した断面）から見たときに全体としてＬ字状になるように構成されている。また、雪面に突き刺し易いように、側板１６は先端ほど幅が狭くなっていることが好ましい。本体フレーム１２の寸法は、テントのサイズに合わせて、長さ１５ｃｍ〜３０ｃｍ程度に選定される。幅は５ｃｍ〜１０ｃｍ程度に選定される。踏み板１４の幅は靴の底で踏むことができるように２ｃｍ〜４ｃｍが適する。側板１６の幅は踏み板１４の幅かそれ以下が好ましい。
【００１６】
本体フレーム１２のほぼ中央には、ワイヤロープ２０の一端を固定するための、ワイヤ孔１７が設けられている。図１の（ｂ）に示すように、雪上に設営されるテント４０は、例えば４本のワイヤロープ２０を四方に張って雪面に固定される。通常、土の地面では図１（ｃ）に示すような杭状のアンカー４４を用いて、ワイヤロープ２０を地面に固定していた。しかしながら、アンカーとの摩擦が小さい雪面ではアンカーが抜けやすい。そこで、本考案のようなアンカーを雪面２４に埋め込むように打ち込んで使用することが好ましい。
【００１７】
なお、図１（ａ）に示すように、踏み板１４のほぼ中央には切り欠き２２が設けられている。この切り欠き２２は、図のようにワイヤロープ２０を本体フレーム１２の面に沿わせて本体フレーム１２の長手方向に平行な向きに抜き出し易くするためのものである。
【００１８】
図２は、本考案の雪面用テントアンカーの雪面への固定方法説明図である。
まず、図２（ａ）に示すように、本体フレーム１２をその一端を先にして雪面２４に向け、踏み板１４を足３０で踏みつけるようにして、本体フレーム１２を雪面に突き刺す。このとき、ワイヤロープ２０を、予め踏み板１４の切り欠き２２から引き出しておく。図の（ｂ）に示す程度までテントアンカー１０を雪面２４に埋め込んだ後、ワイヤロープ２０を手３２で掴んで、矢印Ｃの方向にワイヤロープ２０の引き出し方向を変える。こうして、ワイヤロープ２０を本体フレーム１２の中央から、本体フレーム１２の面にほぼ垂直な方向に向けて引き出す。このワイヤロープ２０を図１の（ｂ）に示したテント４０の一部に固定する。
【００１９】
柔らかい雪の場合には、ワイヤロープ２０を引っ張るだけで、その向きをかえることができる。しかしながら、アイスパーンのような硬い雪面では、ワイヤロープ２０を引き出す方向に雪面に切れ目を入れて、ワイヤロープ２０を引っ張る。ワイヤロープ２０を本体フレーム１２の長手方向に平行な方向に直線的に引き出しておけば、この作業が容易にできる。以上の雪面用テントアンカー１０は、踏み板１４を備えているので、比較的硬い雪でも足の力で雪面に深く打ち込むことができる。
【００２０】
図３は、テントアンカー１０の踏み板１４の機能を示す説明図である。
図２で説明したように、ワイヤロープ２０を本体フレーム１２の面にほぼ垂直な方向に引き出すと、雪面用テントアンカー１０は抜けない。しかしながら、テントアンカー１０を雪面に打ち込むときには、ワイヤロープ２０の向きは本体フレーム１２の長手方向に向く。即ち、図３の（ａ）に示すように、ワイヤロープ２０は矢印Ｄの方向に向く。ここから、ワイヤロープ２０を矢印Ｃの方向に引き上げる。このとき、本体フレーム１２を覆う雪面には、丁度ワイヤロープ２０を含む面に沿った切れ目ができる。
【００２１】
例えば、図３（ｂ）に示す、太い破線のようにワイヤロープ２０が雪面に蛇行して埋め込まれると、ワイヤロープ２０を引き上げるときに周囲の雪面を複雑に破壊しようとするので、硬い雪面では引き上げに大きな力が要る。アイスパーンでは、ワイヤロープ２０を引き上げる前に、予め別の工具を用いて切れ目を入れておく必要もあるが、ワイヤロープ２０が蛇行していては、それができない。また、図３（ｂ）に示すように、ワイヤロープ２０の向きを本体フレーム１２の長手方向に向けて本体フレーム１２を打ち込んだときに、切り欠き２２が無いとワイヤロープ２０が踏み板１４の部分で折れ曲がり、無理な曲げが加わったりする。切り欠き２２はこれらを防ぐのにきわめて有効である。
【００２２】
図４は、雪面用テントアンカー１０の収納法を示す説明図である。
既に説明したように、踏み板１４は、足を用いて本体フレーム１２を雪面に深く打ち込めるという効果をもたらす。側板１６は本体フレーム１２の長手方向の剛性を高め、雪面に強く突き刺さすことができるという効果をもたらす。さらに、この構造は、長手方向に見たときも長手方向に交叉する方向に見たときも、断面がＬ字状なので、図４の（ａ）に示すように、複数枚を隙間無く積み重ねることができるという効果をもたらす。重ねて収納するときにかさばらないから、登山用のザックや専用のバッグ等にコンパクトに収納できる。
【００２３】
図４の（ｂ）に示すように、ワイヤロープ２０の端には本体フレーム１２のワイヤ孔１７から抜けないようにストッパ２６が固定される。例えば、金属製のパイプをかしめるようにしてワイヤロープ２０の端に固定するとよい。これにより、ワイヤロープ２０の交換も容易になる。また、本体フレーム１２には、複数の雪面用テントアンカー１０を重ね合わせたときに、結束部材を貫通させるための連結孔１８を備える。例えば、図４（ｃ）に示すような、ボルト付き蝶ねじ２７を連結孔１８に通す。本体フレーム１２の裏側にはナット２８を配置して締め付け固定する。これで、複数のテントアンカー１０を一体化して取り扱うことができる。なお、結束部材はボルトでなくても構わない。例えば、ワイヤロープ２０を連結孔１８に通して全体を結束してもよい。また、本体フレーム１２の強度が十分あれば、連結孔１８を多数設けることで、テントアンカー１０の軽量化を図ることもできる。また、紙を挟むクリップのようなもので複数枚を束ねることもできる。
【実施例２】
【００２４】
図５は本考案の各種の変形実施例を示す斜視図である。
上記の実施例は最も実用的な構造を示すものである。しかしながら、本考案の雪面用テントアンカーは、各種の変形が可能である。まず、図５（ａ）の例は、本体フレーム１２に踏み板１４だけを設けたものである。足の力だけで、テントアンカー１０をしっかりと雪面にうめこむという効果がある。図の破線のように、先端を尖らせれば、硬い雪面にも突き刺し易い。また、先の実施例で説明したように、先端を本体フレーム１２の長手方向と直角な方向に向いた直線（図の一点鎖線）で切断すると、テントアンカー１０を正しい角度で雪面に打ち込むことができる。図５（ｂ）では、踏み板１４にＶ字状の切り欠き２２を設けた。これで、ワイヤロープ２０の向きを決めることができる。
【００２５】
図５（ｃ）の例は、踏み板１４のほかに側板１６を設けたものである。これによってテントアンカー１０全体の強度を高めることができる。図５（ｄ）の例は、既に図１〜図３で説明した最適な実施例である。上記のいずれの場合でも、隙間無く積み重ねることができるという効果が共通する。
【００２６】
図６（ａ）は、図１（ａ）で説明したテントアンカー１０に、多数の連結孔１８を設けたものである。これにより、どの連結孔１８も連結一体化に利用できるとともに、全体の軽量化を図ることができる。また、図６（ｂ）の例では、踏み板１４の両短縁に、計一対の切り欠き２２を設けた。ワイヤロープ２０は２本設けた。２本のワイヤロープ２０はそれぞれ一対の切り欠き２２を経由して地上に引き出されている。２本のワイヤロープ２０の間に、一点鎖線のように足を入れて、踏み板１４を踏みつけることができる。
【符号の説明】
【００２７】
１０  雪面用テントアンカー
１２  本体フレーム
１４  踏み板
１６  側板
１７  ワイヤ孔
１８  連結孔
２０  ワイヤロープ
２２  切り欠き
２４  雪面
２６  ストッパ
２７  ボルト付き蝶ねじ
２８  ナット
３０  足
３２  手
４０  テント  
４４  アンカー
【図１】
0003154250.tif 000003
【図２】
0003154250.tif 000004
【図３】
0003154250.tif 000005
【図４】
0003154250.tif 000006
【図５】
0003154250.tif 000007
【図６】
0003154250.tif 000008
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
一端を先にして雪面に突き刺す本体フレーム１２を備え、この本体フレーム１２の他端には、長手方向に沿う断面から見たときにＬ字状になるように、本体フレーム１２とほぼ直交する面を持つ踏み板１４が設けられ、本体フレーム１２のほぼ中央にはワイヤロープ２０の一端が固定されていることを特徴とする雪面用テントアンカー。
【請求項２】
請求項１に記載の雪面用テントアンカーにおいて、
複数のテントアンカー１０を重ね合わせたときに、結束部材を貫通させるための連結孔１８を本体フレーム１２に設けたことを特徴とする雪面用テントアンカー。
【請求項３】
請求項１または２に記載の雪面用テントアンカーにおいて、
本体フレーム１２の側縁に、長手方向に交叉する断面から見たときにＬ字状になるように、側板１６を設けたことを特徴とする雪面用テントアンカー。
【請求項４】
請求項３に記載の雪面用テントアンカーにおいて、
踏み板１４と側板１６を本体フレーム１２の縁を折り曲げるようにして成型したことを特徴とする雪面用テントアンカー。
【請求項５】
請求項１乃至４のいずれかに記載の雪面用テントアンカーにおいて、
踏み板１４のほぼ中央に、ワイヤロープ２０を本体フレーム１２の面に沿わせて本体フレーム１２の長手方向に平行な方向に引き出す切り欠き２２を備えたことを特徴とする雪面用テントアンカー。
【請求項６】
請求項１乃至５のいずれかに記載の雪面用テントアンカーにおいて、
前記踏み板の一端は、長手方向に垂直な方向に切り落とされていることを特徴とする雪面用テントアンカー。
【請求項７】
請求項１乃至６のいずれかに記載の雪面用テントアンカーにおいて、
前記本体フレーム１２には、複数の連結孔１８が設けられていることを特徴とする雪面用テントアンカー。
【請求項８】
請求項１乃至７のいずれかに記載の雪面用テントアンカーにおいて、
踏み板１４の両短縁に、それぞれ切り欠き２２が設けられていることを特徴とする雪面用テントアンカー。
【手続補正２】
【補正対象書類名】明細書
【補正対象項目名】０００８
【補正方法】変更
【補正の内容】
【０００８】
〈構成４〉
構成３に記載の雪面用テントアンカーにおいて、踏み板１４と側板１６を本体フレーム１２の縁を折り曲げるようにして成型したことを特徴とする雪面用テントアンカー。